(57)【特許請求の範囲】
【請求項１】
画像を表示装置の画面にプレビュー表示し、前記画像を記録用紙に記録する画像形成装置であって、
前記表示装置の画面に重ねて設けられ、２つの指示点を同時に検出するタッチパネルと、
前記タッチパネルにより検出された各指示点の離反又は接近に応じて前記記録用紙に記録される画像の変倍率を変更しており、前記画像の変倍率が前記画像を該画像の元のサイズとは異なる記録用紙の定型サイズに変倍するための変倍率に達すると、この変倍率を前記各指示点の離反又は接近にかかわらず維持する制御部とを備え、
前記制御部は、前記変倍率の維持を開始した後に、前記各指示点の検出が継続されている間に前記変倍率の維持を終了して、前記変倍率を破棄し、前記各指示点の離反又は接近に応じた変倍率の変更を再開することを特徴とする画像形成装置。
【請求項２】
請求項１に記載の画像形成装置であって、
前記制御部は、前記各指示点が相互に離反する方向に移動した場合に、前記画像を拡大するための拡大率を設定し、前記各指示点が相互に接近する方向に移動した場合に、前記画像を縮小するための縮小率を設定することを特徴とする画像形成装置。
【請求項３】
請求項１または２に記載の画像形成装置であって、
前記制御部は、前記画像の元のサイズの縦横比率と前記記録用紙の定型サイズの縦横比率とが一致しない場合に、前記元のサイズの縦幅に対する前記定型サイズの縦幅の縦比率と前記元のサイズの横幅に対する前記定型サイズの横幅の横比率とを比較し、前記縦比率及び前記横比率のうちの小さい方の比率を変倍率として設定することを特徴とする画像形成装置。
【請求項４】
請求項１または２に記載の画像形成装置であって、
前記制御部は、前記画像の元のサイズの縦横比率と前記記録用紙の定型サイズの縦横比率とが一致しない場合に、前記元のサイズの縦幅に対する前記定型サイズの縦幅の縦比率と前記元のサイズの横幅に対する前記定型サイズの横幅の横比率とを比較し、前記縦比率及び前記横比率のうちの大きい方の比率を変倍率として設定することを特徴とする画像形成装置。
【請求項５】
請求項１〜４のいずれか１つに記載の画像形成装置であって、
前記制御部は、前記表示装置の画面に対する前記各指示点の相互間の移動方向を求め、前記移動方向が斜め方向である場合に、縦方向及び横方向で画像の変倍率を求めて設定し、前記移動方向が縦方向又は横方向である場合に、縦方向又は横方向のみの前記画像の変倍率を求めて設定することを特徴とする画像形成装置。
【請求項６】
請求項１〜５のいずれか１つに記載の画像形成装置であって、
前記制御部は、前記画像の定型サイズへの変倍処理に際し、前記表示装置の画面に前記定型サイズに対応する指標を表示して、前記指標に合わせて変倍した画像をプレビュー表示することを特徴とする画像形成装置。
【請求項７】
表示装置と、前記表示装置の画面に重ねて設けられ、２つの指示点を同時に検出するタッチパネルとを備えるタッチスクリーンの表示制御方法であって、
前記タッチパネルにより検出された各指示点の離反又は接近に応じて前記表示装置の画面に表示されている画像を変倍し、
前記画像が変倍されて規定サイズに達すると、前記画像の規定サイズを前記各指示点の離反又は接近にかかわらず維持し、
前記変倍率の維持を開始した後に、前記各指示点の検出が継続されている間に前記変倍率の維持を終了して、前記変倍率を破棄し、前記各指示点の離反又は接近に応じた変倍率の変更を再開することを特徴とするタッチスクリーンの表示制御方法。
【発明の詳細な説明】
【技術分野】
【０００１】
本発明は、複写機、プリンタ、ファクシミリ等の画像形成装置、及び画像形成装置に好適なタッチスクリーンの表示制御方法に関する。
【背景技術】
【０００２】
この種の画像形成装置としては、画像を記録用紙に記録するに先立ち、画像を表示装置の画面にプレビュー表示して確認できるようにしたものがある。例えば、画像を表示装置の画面にプレビュー表示した上で、画像の向きを変更したり、画像を拡大縮小（変倍）し、この後に画像を記録用紙に記録する。これにより、ユーザの要求に合った画像を作成して確認し記録用紙に記録することができる。
【０００３】
また、画像形成装置においては、表示装置の画面にタッチパネルを重ねてなるタッチスクリーンを採用することが多く、タッチスクリーンに対する入力指示により拡大縮小率（変倍率）等を調節設定できるようにしている。例えば、表示装置の画面に拡大キーや縮小キーを表示し、タッチパネルにより各キーに対する指示を検出し、各キーに対する指示に応じて画像の拡大縮小率を画面に表示しつつ変更し、画像の拡大縮小率を設定している。
【０００４】
一方、タッチスクリーンに対して２つの指先で指示された２つの指示点の移動に応じて画像の拡大縮小処理（変倍処理）を行うという技術が提案され実施されている。このタッチスクリーンのタッチパネルとしては、複数の指先等により指示された多点を同時に検出することが可能な投影型静電容量方式（Projected Capacitive Type）等のものが適用される。
【０００５】
例えば、特許文献１に記載の携帯情報機器では、画像を表示装置の画面に表示し、タッチパネルにより２つの指先で指示された２つの指示点を検出し、この２つの指示点の移動方向に応じて画面上の画像の拡大縮小処理を行っている。具体的には、２つの指先で指示された２つの指示点が離反する方向に移動すると、この移動に応じて拡大率を連続的に増大させ、また２つの指示点が接近する方向に移動すると、この移動に応じて縮小率を連続的に減少させて、画面上の画像を拡大縮小している。
【０００６】
尚、２つの指示点が離反するような２つの指先の操作をピンチアウトと称し、２つの指示点が接近するような２つの指先の操作をピンチインと称する。
【先行技術文献】
【特許文献】
【０００７】
【特許文献１】特開２０００−１６３０３１号公報
【発明の概要】
【発明が解決しようとする課題】
【０００８】
ところで、画像形成装置において、タッチパネルスクリーンに対するピンチアウトやピンチインの操作を採用し、この操作により画像の拡大縮小率を調節設定することが考えられる。
【０００９】
しかしながら、画像形成装置では、画像を記録用紙の定型サイズに拡大縮小することが多く、この定型サイズへの拡大縮小率を、ピンチアウトやピンチインの操作により設定するのは困難である。例えば、画像のサイズがＡ５（ＪＩＳ規格）であって、記録用紙の定型サイズがＡ３（ＪＩＳ規格）であり、Ａ５の画像をＡ３の記録用紙に合うように拡大する場合は、拡大率が２００％となる。また、画像のサイズがＡ３であって、記録用紙の定型サイズがＡ５であり、Ａ３の画像をＡ５の記録用紙に合うように縮小する場合は、縮小率が５０％となる。このような拡大縮小率をピンチアウトやピンチインの操作により１％未満の誤差で正確に設定するには、指先の微妙な操作が必用となり、拡大縮小率の設定操作が困難である。また、個々のユーザの能力が異なるため、全てのユーザに対して、そのようなピンチアウトやピンチインの微妙な操作を強いるのは好ましくない。
【００１０】
そこで、本発明は、上記課題を解決するためになされたものであり、ピンチアウトやピンチインの操作により画像を規定のサイズに容易に拡大縮小することが可能な画像形成装置及び画像形成装置に好適なタッチスクリーンの表示制御方法を提供することを目的とする。
【課題を解決するための手段】
【００１１】
上記課題を解決するために、本発明の画像形成装置は、画像を表示装置の画面にプレビュー表示し、前記画像を記録用紙に記録する画像形成装置であって、前記表示装置の画面に重ねて設けられ、２つの指示点を同時に検出するタッチパネルと、前記タッチパネルにより検出された各指示点の離反又は接近に応じて前記記録用紙に記録される画像の変倍率を変更しており、前記画像の変倍率が前記画像を該画像の元のサイズとは異なる記録用紙の定型サイズに変倍するための変倍率に達すると、この変倍率を前記各指示点の離反又は接近にかかわらず維持する制御部とを備え、前記制御部は、前記変倍率の維持を開始した後に、前記各指示点の検出が継続されている間に前記変倍率の維持を終了して、前記変倍率を破棄し、前記各指示点の離反又は接近に応じた変倍率の変更を再開する。
【００１２】
このような本発明の画像形成装置においては、タッチパネルとして２つの指示点を同時に検出するものを適用しており、２つの指先で指示された２つの指示点を同時に検出することができる。このため、制御部は、タッチパネルの検出出力に基づき、２つの指示点が離反するような２つの指先の操作（ピンチアウト）と、２つの指示点が接近するような２つの指先の操作（ピンチイン）とを判定し、ピンチアウト又はピンチインの操作に応じて画像の拡大率又は縮小率（変倍率）を変更することができる。そして、制御部は、その変倍率が、画像を該画像の元のサイズとは異なる記録用紙の定型サイズに変倍するための変倍率に達すると、この変倍率をピンチアウトやピンチインの操作にかかわらず維持している。従って、ピンチアウトやピンチインの操作により変倍率を連続的に変更し続けると、この変倍率が、画像を該画像の元のサイズとは異なる記録用紙の定型サイズに変倍するための変倍率に達して維持されることになる。これにより、ピンチアウトやピンチインの微妙な操作を行わなくても、画像を記録用紙の定型サイズに拡大又は縮小することが可能になる。また、変倍率が、画像を該画像の元のサイズとは異なる記録用紙の定型サイズに変倍するための変倍率に設定された後でも、各指示点の離反又は接近に応じた変倍率の変更を再開することが可能になる。
【００１５】
更に、本発明の画像形成装置においては、前記制御部は、前記各指示点が相互に離反する方向に移動した場合に、前記画像を拡大するための拡大率を設定し、前記各指示点が相互に接近する方向に移動した場合に、前記画像を縮小するための縮小率を設定している。
【００１６】
これにより、画像の拡大及び縮小の選択が可能になる。
【００１７】
また、本発明の画像形成装置においては、前記制御部は、前記画像の元のサイズの縦横比率と前記記録用紙の定型サイズの縦横比率とが一致しない場合に、前記元のサイズの縦幅に対する前記定型サイズの縦幅の縦比率と前記元のサイズの横幅に対する前記定型サイズの横幅の横比率とを比較し、前記縦比率及び前記横比率のうちの小さい方の比率を変倍率として設定している。
【００１８】
この場合は、記録用紙に余白部分が生じるが、変倍された画像全体が記録用紙に記録される。
【００１９】
更に、本発明の画像形成装置においては、前記制御部は、前記画像の元のサイズの縦横比率と前記記録用紙の定型サイズの縦横比率とが一致しない場合に、前記元のサイズの縦幅に対する前記定型サイズの縦幅の縦比率と前記元のサイズの横幅に対する前記定型サイズの横幅の横比率とを比較し、前記縦比率及び前記横比率のうちの大きい方の比率を変倍率として設定している。
【００２０】
この場合は、変倍された画像の一部が記録用紙からはみ出して記録されないが、記録用紙の余白部分を小さく抑えることができる。
【００２１】
また、本発明の画像形成装置においては、前記制御部は、前記表示装置の画面に対する前記各指示点の相互間の移動方向を求め、前記移動方向が斜め方向である場合に、縦方向及び横方向で画像の変倍率を求めて設定し、前記移動方向が縦方向又は横方向である場合に、縦方向又は横方向のみの前記画像の変倍率を求めて設定している。
【００２２】
これにより、縦方向のみに変倍された画像や横方向のみに変倍された画像を記録用紙に記録することができる。
【００２３】
更に、本発明の画像形成装置においては、前記制御部は、前記画像の定型サイズへの変倍処理に際し、前記表示装置の画面に前記定型サイズに対応する指標を表示して、前記指標に合わせて変倍した画像をプレビュー表示している。
【００２４】
これにより、表示装置の画面上で、定型サイズへの画像の変倍を確認することができる。
【００２５】
一方、本発明の表示制御方法は、表示装置と、前記表示装置の画面に重ねて設けられ、２つの指示点を同時に検出するタッチパネルとを備えるタッチスクリーンの表示制御方法であって、前記タッチパネルにより検出された各指示点の離反又は接近に応じて前記表示装置の画面に表示されている画像を変倍し、前記画像が変倍されて規定サイズに達すると、前記画像の規定サイズを前記各指示点の離反又は接近にかかわらず維持し、前記変倍率の維持を開始した後に、前記各指示点の検出が継続されている間に前記変倍率の維持を終了して、前記変倍率を破棄し、前記各指示点の離反又は接近に応じた変倍率の変更を再開する。
【００２６】
このような本発明の表示制御方法では、画像が変倍されて規定サイズに達すると、画像の規定サイズをピンチアウトやピンチインの操作にかかわらず維持している。従って、ピンチアウトやピンチインの操作により画像を連続的に変倍し続けると、画像が変倍されて規定サイズに達したときに、この画像の規定サイズが設定されることになる。これにより、ピンチアウトやピンチインの微妙な操作を行わなくても、画像を規定サイズに拡大又は縮小することが可能になる。また、変倍率が、画像を該画像の元のサイズとは異なる記録用紙の定型サイズに変倍するための変倍率に設定された後でも、各指示点の離反又は接近に応じた変倍率の変更を再開することが可能になる。
【発明の効果】
【００２７】
本発明では、ピンチアウトやピンチインの操作により変倍率を連続的に変更し続けると、この変倍率が、画像を該画像の元のサイズとは異なる記録用紙の定型サイズに変倍するための変倍率に達して維持される。これにより、ピンチアウトやピンチインの微妙な操作を行わなくても、画像を記録用紙の定型サイズに拡大又は縮小することが可能になる。
【図面の簡単な説明】
【００２８】
【図１】本発明の画像形成装置の一実施形態を概略的に示す断面図である。
【図２】図１の画像形成装置の制御系を示すブロック図である。
【図３】図２の操作パネル及び表示制御部の構成を示すブロック図である。
【図４】図３のタッチスクリーンの液晶表示装置の画面の表示例を示す図である。
【図５】（ａ）は画面上のプレビュー領域における斜め方向のピンチアウトの操作を示す図であり、（ｂ）は縦横方向に拡大されたプレビュー画像を示す図である。
【図６】タッチパネル上の２つの指示点の動きを例示する図である。
【図７】（ａ）は画面上のプレビュー領域における斜め方向のピンチインの操作を示す図であり、（ｂ）は縦横方向に縮小されたプレビュー画像を示す図である。
【図８】（ａ）は左右両側にそれぞれの余白領域が生じた記録用紙を示す図であり、（ｂ）は上下両側にそれぞれの余白領域が生じた記録用紙を示す図である。
【図９】（ａ）は拡大又は縮小された原稿画像が左右両側からはみ出した記録用紙を示す図であり、（ｂ）は拡大又は縮小された原稿画像が上下両側からはみ出した記録用紙を示す図である。
【図１０】（ａ）は画面上のプレビュー領域における縦方向のピンチアウトの操作を示す図であり、（ｂ）は縦方向のみに拡大されたプレビュー画像を示す図である。
【図１１】（ａ）は画面上のプレビュー領域における横方向のピンチアウトの操作を示す図であり、（ｂ）は横方向のみに拡大されたプレビュー画像を示す図である。
【図１２】図２の表示制御部による処理の概略を示すフローチャートである。
【図１３Ａ】図１２のステップＳ１０６の処理を示すフローチャートである。
【図１３Ｂ】図１３Ａに引き続く処理を示すフローチャートである。
【発明を実施するための形態】
【００２９】
以下、本発明の実施形態を添付図面を参照して詳細に説明する。
【００３０】
図１は、本発明の画像形成装置の一実施形態を概略的に示す断面図である。本実施形態の画像形成装置１は、スキャナ機能、複写機能、プリンタ機能、及びファクシミリ機能等を有する所謂複合機であり、画像読取り装置４１により読取られた原稿の画像を外部に送信したり、この読取られた原稿の画像又は外部から受信した画像をカラーもしくは単色で記録用紙に記録したりする。
【００３１】
また、画像形成装置１の前面には、操作パネル２が取り付けられ、この操作パネル２にタッチスクリーン３やキーボード４が設けられている。タッチスクリーン３は、例えば液晶表示装置と、液晶表示装置の画面に重ねられたタッチパネルとを備えている。液晶表示装置の画面には、画像形成装置１の操作情報もしくはボタン等が表示され、画面上のボタンが指先等で指示されると、タッチパネルにより該ボタンに対する指示が検出され、またキーボード４のボタンに対する操作も検出され、これらの指示や操作に応答して画像形成装置１が制御される。
【００３２】
尚、図１上では、タッチスクリーン３やキーボード４が見えるように操作パネル２を前方向に向けているが、実際には、操作パネル２を上方向に向けて、タッチスクリーン３やキーボード４の確認や操作を容易に行えるようにしている。
【００３３】
ここで、画像形成装置１は、原稿画像を記録用紙に印刷するべく、光走査装置１１、現像装置１２、感光体ドラム１３、ドラムクリーニング装置１４、帯電装置１５、中間転写ベルト装置１６、定着装置１７、用紙搬送経路Ｓ、給紙トレイ１８、及び用紙排出トレイ１９等を備えている。
【００３４】
画像形成装置１において扱われる画像データは、ブラック（Ｋ）、シアン（Ｃ）、マゼンタ（Ｍ）、イエロー（Ｙ）の各色を用いたカラー画像に応じたもの、又は単色（例えばブラック）を用いたモノクロ画像に応じたものである。このため、現像装置１２、感光体ドラム１３、ドラムクリーニング装置１４、及び帯電装置１５は、各色に応じた４種類のトナー像を形成するようにそれぞれ４個ずつ設けられ、それぞれがブラック、シアン、マゼンタ、及びイエローに対応付けられて、４つの画像ステーションＰａ、Ｐｂ、Ｐｃ、Ｐｄが構成されている。
【００３５】
各画像ステーションＰａ、Ｐｂ、Ｐｃ、Ｐｄのいずれにおいても、帯電装置１５により感光体ドラム１３を均一に帯電し、光走査装置１１の光ビームにより感光体ドラム１３表面を走査して、静電潜像を感光体ドラム１３表面に形成し、現像装置１２により感光体ドラム１３表面の静電潜像を現像して、感光体ドラム１３表面にトナー像（ブラック、シアン、マゼンタ、及びイエロー）を形成する。そして、各感光体ドラム１３表面のトナー像を中間転写ベルト装置１６の中間転写ベルト２１に重ねて転写し、中間転写ベルト２１上にカラーのトナー像を形成し、中間転写ベルト２１と二次転写装置２６の転写ローラ２６ａ間のニップ域で、カラーのトナー像を中間転写ベルト２１から記録用紙へと転写し、記録用紙を定着装置１７の加熱ローラ３１と加圧ローラ３２間に挟み込んで、記録用紙上のカラーのトナー像を定着し、記録用紙を用紙排出トレイ１９に排出する。
【００３６】
記録用紙は、給紙トレイ１８から引き出されて用紙搬送経路Ｓへと搬送され、用紙レジストローラ３４、中間転写ベルト２１と転写ローラ２６ａ間のニップ域、定着装置１７、及び排紙ローラ３６等を通じて搬送され、用紙排出トレイ１９へと排出される。ここでは、１つの給紙トレイ１８を例示しているが、複数の給紙トレイ１８を設けて、複数種の定型サイズの記録用紙を各給紙トレイ１８に収容しておき、各給紙トレイ１８のいずれかより必用な定型サイズの記録用紙を給紙する。
【００３７】
画像読取り装置４１の奥一辺には、ヒンジ（図示せず）を介して原稿カバー４２の奥一辺が接続されており、原稿カバー４２の手前部分を上下させることにより原稿カバー４２を開閉することができる。原稿カバー４２が開かれたときには、画像読取り装置４１の原稿載置板４４が開放され、この原稿載置板４４上に原稿が載置される。
【００３８】
画像読取り装置４１は、原稿載置板４４、第１走査ユニット４５、第２走査ユニット４６、結像レンズ４７、及びＣＣＤ（Charge Coupled Device）４８等を備えている。第１走査ユニット４５は、光源５１及び第１反射ミラー５２を備えており、原稿サイズに応じた距離だけ副走査方向Ｙに一定速度Ｖで移動しながら、原稿載置板４４上の原稿を光源５１によって露光し、その反射光を第１反射ミラー５２により反射して第２走査ユニット４６へと導き、これにより原稿画像を走査する。第２走査ユニット４６は、第２及び第３反射ミラー５３、５４を備えており、第１走査ユニット４５に追従して速度Ｖ／２で移動しつつ、原稿からの反射光を第２及び第３反射ミラー５３、５４により反射して結像レンズ４７へと導く。結像レンズ４７は、原稿からの反射光をＣＣＤ４８に集光して、原稿画像をＣＣＤ４８上に結像させる。ＣＣＤ４８は、原稿画像を繰返し主走査方向（副走査方向Ｙと直交する方向）に走査し、その度に、１主走査ラインのアナログ画像信号を出力する。
【００３９】
ＣＣＤ４８により読取られた原稿画像は、ＣＣＤ４８からアナログ画像信号として出力され、このアナログ画像信号がデジタル画像信号（画像データ）にＡ／Ｄ変換される。そして、この画像データは、種々の画像処理を施されて画像形成装置１の光走査装置１１へと送受され、画像形成装置１において画像が記録用紙に記録され、この記録用紙が複写原稿として出力される。
【００４０】
図２は、本実施形態の画像形成装置１の制御系を示すブロック図である。図２において、制御部６１は、画像形成装置１を統合的に制御するものであって、ＣＰＵ、ＲＡＭ、ＲＯＭ、各種のインターフェース等からなる。プリンタエンジン６２は、図１における光走査装置１１、現像装置１２、感光体ドラム１３、ドラムクリーニング装置１４、帯電装置１５、中間転写ベルト装置１６、定着装置１７、用紙搬送経路Ｓ、給紙トレイ１８、及び用紙排出トレイ１９等に相当し、電子写真方式により原稿画像を記録用紙に印刷する。画像処理部６３は、画像データに対して各種の画像処理を施す。メモリ６４は、例えばハードディスク装置（ＨＤＤ）、ＲＡＭ等であって、画像データを記憶したり、種々の制御データやプログラム等を記憶する。
【００４１】
表示制御部６５は、操作パネル２のタッチスクリーン３の液晶表示装置の表示制御を行ったり、タッチスクリーン３のタッチパネルを通じて液晶表示装置の画面のボタン等に対する指示を検出したり、キーボード４の操作キーに対する操作を検出する。
【００４２】
バス６６は、制御部６１、プリンタエンジン６２、画像処理部６３、メモリ６４、表示制御部６５、及び画像読取り装置４１の間で送受される制御データや画像データを伝送する。
【００４３】
例えば、表示制御部６５は、タッチスクリーン３の液晶表示装置の画面にアイコンやボタンを表示して、これらのアイコンやボタンに対する指示をタッチスクリーン３のタッチパネルを通じて判定し、またキーボード４の操作キーに対する操作を判定し、この指示されたアイコンやボタンあるいは操作された操作キーに対応する表示制御を行ったり、この指示されたアイコンやボタンあるいは操作された操作キーに対応する制御データを制御部６１に出力する。具体的には、原稿画像の複写開始を示すボタンや操作キーが指示もしくは操作されると、原稿画像の複写開始を示す制御データが表示制御部６５から制御部６１へと送受される。制御部６１は、この制御データに基づき原稿画像の複写開始を判定し、画像読取り装置４１を制御して、画像読取り装置４１で原稿画像を読取らせ、読取られた原稿画像を示す画像データをメモリ６４に記憶させ、画像処理部６３で画像データを処理させ、プリンタエンジン６２でメモリ６４内の画像データによって示される原稿画像を記録用紙に記録させる。
【００４４】
図３は、操作パネル２及び表示制御部６５の構成を示すブロック図である。操作パネル２のタッチスクリーン３は、液晶表示装置７１と、液晶表示装置７１の画面に重ねられたタッチパネル７２とを備えており、液晶表示装置７１の画面上のボタンが指先等で指示されると、タッチパネル７２により該ボタンの指示点が検出される。
【００４５】
タッチパネル７２は、複数の指先等により指示された多点を同時に検出することが可能な投影型静電容量方式（Projected Capacitive Type）等のものであり、指示された１乃至複数の指示点を示す検出信号を出力する。このため、２つの指先により２つの指示点が指示されたときには、タッチパネル７２の検出信号に基づき２つの指示点を識別することができ、２つの指示点が離間するような２つの指先の操作（ピンチアウト）や、２つの指示点が接近するような２つの指先の操作（ピンチイン）を判定することが可能である。
【００４６】
キーボード４は、複数の操作キーを有しており、操作された操作キーを示す検出信号を出力する。
【００４７】
表示制御部６５は、タッチパネル７２及びキーボード４からの検出信号を入力して、タッチパネル７２及びキーボード４に対する入力内容を判定する操作判定部７３と、予め設定された複数種の機能設定領域を液晶表示装置７１の画面に区分け表示し、各種の機能を設定する機能設定部７４と、バス６６を介して、制御部６１等との間で制御データ等を送受する入出力部７５とを備えている。
【００４８】
操作判定部７３は、タッチパネル７２及びキーボード４からの検出信号を入力すると、表示装置７１の画面上の指先等で指示された指示点を検出して、この指示点のアイコンやボタンを識別したり、キーボード４の操作された操作キーを識別し、この識別結果を機能設定部７４に出力する。機能設定部７４は、各種の機能設定領域を液晶表示装置７１の画面に区分け表示し、液晶表示装置７１の画面上で指示されたアイコンやボタン、あるいはキーボード４の操作された操作キーに基づき、指示もしくは操作の内容を判定し、この判定結果を液晶表示装置７１の画面上の各機能設定領域に反映させたり、この判定結果を示す制御データを入出力部７５に出力する。入出力部７５は、判定結果の制御データをバス６６を介して制御部６１等に出力する。制御部６１は、制御データを入力して応答動作する。また、制御部６１は、制御データ等をバス６６を介して表示制御部６５へと出力する。この制御データ等は、表示制御部６５の入出力部７５で取り込まれ、機能設定部７４に入力される。機能設定部７４は、制御データ等を入力すると、制御データ等を液晶表示装置７１の画面上の各機能設定領域に反映させる。
【００４９】
更に、機能設定部７４は、プレビュー画像処理部７６を含んでいる。プレビュー画像処理部７６は、メモリ６４内の原稿画像に対応するプレビュー用の画像（以下、プレビュー画像と称す）を、液晶表示装置７１の画面の１つの機能設定領域にプレビュー表示する。また、プレビュー画像処理部７６は、プレビュー画像に対して拡大縮小処理（変倍処理）を施す拡大縮小処理部７７、プレビュー画像に対して色変換処理を施すカラー変換処理部７８、及びプレビュー画像の向きを変更する回転処理部７９等を備えており、プレビュー画像に対して各種の画像処理を施す。
【００５０】
例えば、記録用紙に記録される原稿画像を示す画像データがメモリ６４に記憶されたときに、メモリ６４内の画像データに基づきプレビュー画像が制御部６１又は画像処理部６３で作成され、プレビュー画像や原稿画像のサイズが制御部６１又は画像処理部６３から表示制御部６５の入出力部７５を通じてプレビュー画像処理部７６へと送受され、プレビュー画像が原稿画像のサイズに対応する大きさで液晶表示装置７１の画面の１つの機能設定領域に表示される。
【００５１】
また、プレビュー画像処理部７６による画像処理の内容は、バス６６を介して画像処理部６３に入力される。画像処理部６３は、その画像処理の内容に従って、メモリ６４内の画像データを処理する。プリンタエンジン６２は、メモリ６４内の画像データによって示される原稿画像を記録用紙に記録する。
【００５２】
従って、画像形成装置１においては、操作パネル２の液晶表示装置７１の画面にプレビュー画像を表示して、プレビュー画像を拡大縮小（変倍）したり、プレビュー画像を色変換したり、プレビュー画像の向きを変更し、プレビュー画像と同様の処理を原稿画像に施し、この後に原稿画像を記録用紙に記録することができる。これにより、ユーザの要求に合った原稿画像を作成して確認し記録用紙に記録することができる。
【００５３】
図４は、タッチスクリーン３の液晶表示装置７１の画面の表示例を示す図である。図４に示すように液晶表示装置７１の画面７１ａは、５つの機能設定領域、つまりシステム領域８１、機能選択領域８２、プレビュー領域８３、アクションパネル領域８４、及びタスクトリガー領域８５に区分されている。
【００５４】
システム領域８１には、画像形成装置１の動作モードや状態が表示される。例えば、動作モードの名称、ジョブの進行状況、メモリ６４の使用状況、時刻等が表示される。動作モードの名称、ジョブの進行状況、メモリ６４の使用状況等は、制御部６１から入出力部７５を通じて機能設定部７４へと送受され、機能設定部７４によりシステム領域８１に表示される。
【００５５】
機能選択領域８２には、各機能の設定や表示の切換えのために操作されるアイコン、ボタン等が表示される。例えば、機能選択領域８２における表示の切換えのためのボタンが指示されると、操作判定部７３は、タッチスクリーン３のタッチパネル７２からの検出信号に基づき液晶表示装置７１の画面７１ａ上で指示された機能選択領域８２のボタンを識別し、この識別したボタンを機能設定部７４に通知する。機能設定部７４は、このボタンの指示に応答して各領域８１〜８５の表示内容を変更する。
【００５６】
プレビュー領域８３には、先に述べたようにプレビュー画像処理部７６によりメモリ６４内の原稿画像に対応するプレビュー画像が表示される。また、プレビュー領域８３には、左回転ボタン８３ａ、右回転ボタン８３ｂ、色変換ボタン８３ｃ、拡大ボタン８３ｄ、及び縮小ボタン８３ｅが表示されている。例えば、左回転ボタン８３ａ又は右回転ボタン８３ｂが指示されると、操作判定部７３は、タッチスクリーン３のタッチパネル７２からの検出信号に基づき液晶表示装置７１の画面７１ａ上で指示された左回転ボタン８３ａ又は右回転ボタン８３ｂを識別し、この識別したボタンを機能設定部７４に通知する。機能設定部７４は、このボタンの指示に応答してプレビュー画像処理部７６の回転処理部７９を起動する。回転処理部７９は、プレビュー領域８３に表示されているプレビュー画像を左回転又は右回転させる。また、色変換ボタン８３ｃが指示されると、操作判定部７３により色変換ボタン８３ｃが識別され、機能設定部７４によりプレビュー画像処理部７６のカラー変換処理部７８が起動される。カラー変換処理部７８は、プレビュー領域８３のプレビュー画像の色変換処理を行う。更に、拡大ボタン８３ｄ又は縮小ボタン８３ｅが指示されると、機能設定部７４によりプレビュー画像処理部７６の拡大縮小処理部７７が起動される。拡大縮小処理部７７は、拡大ボタン８３ｄ又は縮小ボタン８３ｅに応答してプレビュー領域８３のプレビュー画像を拡大又は縮小する。
【００５７】
プレビュー領域８３の画像の拡大縮小は、拡大ボタン８３ｄ及び縮小ボタン８３ｅによる指示だけではなく、プレビュー領域８３において、２つの指先で指示された２つの指示点が離反するような２つの指先の操作（ピンチアウト）や、２つの指示点が接近するような２つの指先の操作（ピンチイン）によっても指示することができる。これらのピンチアウト及びピンチインについては、後で詳しく説明する。
【００５８】
このようなプレビュー画像処理部７６による画像処理の内容は、バス６６を介して画像処理部６３に入力され、画像処理部６３により、その画像処理の内容に従って、メモリ６４内の画像データが処理され、メモリ６４内の画像データによって示される原稿画像が記録用紙に記録される。
【００５９】
アクションパネル領域８４には、操作についての補助、助言、提案等の支援情報が表示される。例えば、機能選択領域８２における任意の機能に対応するアイコンが選択されると、機能設定部７４は、任意の機能に関連する他の機能をアクションパネル領域８４に表示して、操作を補助する。
【００６０】
タスクトリガー領域８５には、画像形成装置１の各種動作の開始を示すそれぞれのボタン等が表示される。例えば、原稿画像の記録開始を指示するボタンが表示されており、このボタンが操作されると、機能設定部７４は、原稿画像の記録開始を示す制御データを入出力部７５を通じて制御部６１へと出力する。これに応答して制御部６１によりプリンタエンジン６２が駆動制御され、原稿画像が記録用紙に記録される。タスクトリガー領域８５には、その他にファクシミリ機能の開始を示すボタン等が表示される。
【００６１】
ところで、プレビュー領域８３においては、先に述べたようにピンチアウトやピンチインの操作によりプレビュー画像及び原稿画像の拡大縮小を指示することができるが、原稿画像を元のサイズとは異なる記録用紙の定型サイズに拡大縮小するべく、ピンチアウトやピンチインの操作により拡大縮小率（変倍率）を１％未満の誤差で正確に設定するには、指先の微妙な操作が必用となり、拡大縮小率の設定操作が困難である。
【００６２】
そこで、本実施形態では、ピンチアウト又はピンチインの操作により原稿画像の変倍率を連続的に変更しているときに、その変倍率が、原稿画像を該原稿画像の元のサイズとは異なる記録用紙の定型サイズに変倍するための変倍率に達すると、この変倍率をピンチインやピンチアウトの操作にかかわらず変更せずに維持している。これにより、ピンチアウトやピンチインの微妙な操作を行わなくても、原稿画像を記録用紙の定型サイズに拡大又は縮小することが可能になる。
【００６３】
また、プレビュー領域８３（液晶表示装置７１の画面７１ａ）に対して２つの指示点の移動方向が斜め方向である場合は、プレビュー画像及び原稿画像を縦横方向のいずれにも拡大縮小し、また２つの指示点の移動方向が縦方向又は横方向である場合は、プレビュー画像及び原稿画像を縦方向又は横方向のみに拡大縮小している。
【００６４】
次に、そのようなピンチアウトやピンチインの操作による原稿画像並びにプレビュー画像の拡大縮小処理について詳しく説明する。
【００６５】
例えば、プレビュー領域８３には、プレビュー画像処理部７６により図５（ａ）に示すようなプレビュー画像９１が原稿画像のサイズに対応する大きさでプレビュー表示されているものとし、この状態で、プレビュー領域８３において２本の指９２、９３の指先により２つの指示点Ｐ１、Ｐ２が指示され、各指９２、９３が斜め方向に開かれつつあって、各指示点Ｐ１、Ｐ２が徐々に離反しているものとする（ピンチアウト）。このとき、プレビュー画像処理部７６の拡大縮小処理部７７は、タッチスクリーン３のタッチパネル７２により検出されて、操作判定部７３により判定された各指示点Ｐ１、Ｐ２の位置を表示制御部６５に内蔵のメモリ（図示せず）に一定周期Δτで繰返し記憶し、各指示点Ｐ１、Ｐ２の位置から各指示点Ｐ１、Ｐ２の移動方向を求め、この移動方向が斜め方向であると判定する。そして、拡大縮小処理部７７は、移動方向が斜め方向であると判定すると、プレビュー画像９１を縦横方向に変倍（拡大又は縮小）すると決定する。
【００６６】
例えば、図６に示すようにタッチパネル７２において、横方向をｘ軸の方向とし、縦方向をｙ軸の方向とし、指示点Ｐ１の座標位置を（ｘ１＋Δｘ１，ｙ１＋Δｙ１）とし、指示点Ｐ２の座標位置を（ｘ２＋Δｘ２，ｙ２＋Δｙ２）とする。ただし、Δｘ１及びΔｙ１は、一定周期Δτにおける指示点Ｐ１の移動距離であり、またΔｘ２及びΔｙ２は、一定周期Δτにおける指示点Ｐ２の移動距離である。
【００６７】
このとき、タッチパネル７２のｘ軸に対する各指示点Ｐ１、Ｐ２の移動方向の角度θは、次式（１）で求められる。
【００６８】
θ＝arctan(（Δｙ１＋Δｙ２）／（Δｘ１＋Δｘ２）)  …（１）
ここで、２０°≦θ≦７０°の場合は、各指示点Ｐ１、Ｐ２の移動方向が斜め方向である。また、０°≦θ＜２０°の場合は、各指示点Ｐ１、Ｐ２の移動方向が横方向であり、７０°＜θ≦９０°の場合は、各指示点Ｐ１、Ｐ２の移動方向が縦方向である。
【００６９】
図５（ａ）のプレビュー領域８３においては、上記式（１）に基づき各指示点Ｐ１、Ｐ２の移動方向が斜め方向であると判定され、プレビュー画像９１の縦横方向の変倍が決定される。
【００７０】
また、拡大縮小処理部７７は、一定周期Δτで繰返し記憶した各指示点Ｐ１、Ｐ２の位置に基づき該各指示点Ｐ１、Ｐ２の離間距離の変化量（√（（Δｘ１＋Δｘ２）2＋（Δｙ１＋Δｙ２）2）を求め、図５（ａ）に示すように離間距離が伸張して行くことから各指示点Ｐ１、Ｐ２が相互に離反する方向に移動していると判定し、プレビュー画像９１を縦横方向に拡大すると決定する。
【００７１】
そして、拡大縮小処理部７７は、各指示点Ｐ１、Ｐ２の離間距離の変化に応じて拡大率を求めて設定する。例えば、１回目（初回）に検出された各指示点Ｐ１、Ｐ２の離間距離と今回検出された各指示点Ｐ１、Ｐ２の離間距離との差分や比に応じた拡大率を求めて設定する。
【００７２】
こうして拡大縮小処理部７７は、各指示点Ｐ１、Ｐ２の離間距離の変化に応じて拡大率を設定すると、プレビュー領域８３上で、その拡大率でプレビュー画像９１を縦横方向に拡大して表示する。また、拡大縮小処理部７７は、原稿画像（メモリ６４内の原稿画像）をその拡大率で拡大したときに、この拡大された原稿画像を記録するのに好適な記録用紙の定型サイズを求めて設定する。
【００７３】
記録用紙の定型サイズとは、画像形成装置１で用いられる記録用紙の定型サイズであって、複数種の定型サイズがある。拡大された原稿画像を記録するのに好適な記録用紙の定型サイズは、拡大された原稿画像のサイズと同一か又は該サイズよりも一回り大きな定型サイズである。
【００７４】
このような拡大率の設定、及びプレビュー領域８３上でのプレビュー画像９１の拡大表示は、一定周期Δτで繰返される。このため、ピンチアウトの操作が継続されている間、拡大率が増大して行き、プレビュー領域８３のプレビュー画像９１が徐々に拡大され、拡大された原稿画像を記録するのに好適な記録用紙の定型サイズが更新されて行く。
【００７５】
また、拡大縮小処理部７７は、ピンチアウトの操作の継続中、各指示点Ｐ１、Ｐ２の離間距離の変化に応じて拡大率を設定する度に、この拡大率で拡大された原稿画像のサイズが記録用紙の定型サイズに一致するか否かを判定している。そして、拡大縮小処理部７７は、その拡大率で拡大された原稿画像のサイズが記録用紙の定型サイズに一致しないと判定したならば、引き続いて各指示点Ｐ１、Ｐ２の離間距離の変化に応じた拡大率の設定を継続する。
【００７６】
また、拡大縮小処理部７７は、その拡大率で拡大された原稿画像のサイズが記録用紙の定型サイズに一致すると判定すると、ピンチアウトの操作が継続されていても、この拡大率を変更せずに維持し、この記録用紙の定型サイズを維持する。例えば、ピンチアウトの操作の継続により拡大率が１１４％に増大し、この拡大率１１４％で拡大された原稿画像のサイズが原稿画像の元のサイズよりも一回り大きな記録用紙の定型サイズＡ４に一致する場合は、ピンチアウトの操作が継続されて、拡大率の増大が指示されていても、拡大率１１４％を変更せずに維持し、定型サイズＡ４を設定し続ける。
【００７７】
このとき、拡大縮小処理部７７は、図５（ａ）に示すようにプレビュー領域８３上で、原稿画像のサイズよりも一回り大きな記録用紙の定型サイズに対応する指標枠９４を表示し、図５（ｂ）に示すようにプレビュー画像９１を指標枠９４に合わせて拡大表示する。
【００７８】
更に、拡大縮小処理部７７は、その拡大率の維持の開始時点で表示制御部６５に内蔵の待機タイマ（図示せず）を起動して、経過時間を計時し、タッチパネル７２による各指示点Ｐ１、Ｐ２の検出が継続されている間に、その経過時間が一定時間に達すると、その維持している拡大率を破棄して、各指示点Ｐ１、Ｐ２の離間距離の変化に応じた拡大率の設定を再開する。そして、拡大率が増大して、その拡大率で拡大された原稿画像のサイズがより大きな記録用紙の定型サイズに一致すると、この拡大率を変更せずに維持して、この記録用紙の定型サイズを維持し、以降同様の処理を繰返し、タッチパネル７２による各指示点Ｐ１、Ｐ２の検出が停止したときの拡大率及び記録用紙の定型サイズを決定する。
【００７９】
尚、経過時間を計時する代わりに、その維持している拡大率とタッチパネル７２により継続して検出されている各指示点Ｐ１、Ｐ２の離間距離の変化に応じた拡大率との差もしくは比率を求め、この差もしくは比率が一定範囲を超えると、その維持している拡大率を破棄して、各指示点Ｐ１、Ｐ２の離間距離の変化に応じた拡大率の設定を再開してもよい。
【００８０】
このように各指９２、９３による各指示点Ｐ１、Ｐ２が離反する方向に移動し続けているときには、各指示点Ｐ１、Ｐ２の離間距離の変化に応じて拡大率が設定され、拡大された原稿画像のサイズと同一か又は一回り大きな記録用紙の定型サイズが設定され、またその拡大率で拡大された原稿画像のサイズが記録用紙の定型サイズに一致すると、この拡大率が維持され、この記録用紙の定型サイズが設定され、引き続いてタッチパネル７２による各指示点Ｐ１、Ｐ２の検出が継続されている間に、一定時間が経過すると、その維持されている拡大率が破棄されて、各指示点Ｐ１、Ｐ２の離間距離の変化に応じた拡大率の設定が再開される。また、タッチパネル７２による各指示点Ｐ１、Ｐ２の検出が停止したときの拡大率及び記録用紙の定型サイズが最終的に設定される。
【００８１】
このため、原稿画像の任意の拡大率を設定することができるだけではなく、原稿画像を記録用紙の定型サイズに正確に拡大するための拡大率を容易に設定することができる。
【００８２】
この後、タスクトリガー領域８５の記録開始を指示するボタンが操作されると、これに応答してプレビュー画像処理部７６は、拡大縮小処理部７７で最終的に設定された拡大率と記録用紙の定型サイズ、及びカラー変換処理部７８や回転処理部７９で設定された他の画像処理の内容を入出力部７５を通じて画像処理部６３等に出力する。画像処理部６３は、メモリ６４内の画像データに対して、拡大縮小処理部７７で設定された拡大率の拡大処理を施し、カラー変換処理部７８及び回転処理部７９で設定された他の画像処理の内容を実施し、これにより得られた画像データをプリンタエンジン６２に出力する。プリンタエンジン６２は、画像データによって示される原稿画像、つまり拡大されたり、色変換されたり、回転された原稿画像を定型サイズの記録用紙に記録する。
【００８３】
次に、図７（ａ）に示すようにプレビュー領域８３において、２本の指９２、９３の指先により２つの指示点Ｐ１、Ｐ２が指示され、各指９２、９３が斜め方向に閉じられつつあって、各指示点Ｐ１、Ｐ２が接近しているものとする（ピンチイン）。このときにも、プレビュー画像処理部７６の拡大縮小処理部７７は、各指示点Ｐ１、Ｐ２の位置を表示制御部６５に内蔵のメモリ（図示せず）に一定周期Δτで繰返し記憶し、上記式（１）に基づきプレビュー領域８３に対する各指示点Ｐ１、Ｐ２の移動方向の角度θを求めて、この移動方向が斜め方向であると判定し、この判定をなすと、プレビュー画像９１を縦横方向に変倍すると決定する。そして、拡大縮小処理部７７は、各指示点Ｐ１、Ｐ２の離間距離の変化を求め、この離間距離が短縮して行くことから各指示点Ｐ１、Ｐ２が相互に接近する方向に移動していると判定し、プレビュー画像９１を縦横方向に縮小すると決定する。
【００８４】
そして、拡大縮小処理部７７は、各指示点Ｐ１、Ｐ２の離間距離の変化に応じて縮小率を求めて設定する。例えば、１回目（初回）に検出された各指示点Ｐ１、Ｐ２の離間距離と今回検出された各指示点Ｐ１、Ｐ２の離間距離との差分や比に応じた縮小率を求めて設定する。
【００８５】
こうして拡大縮小処理部７７は、各指示点Ｐ１、Ｐ２の離間距離の変化に応じて縮小率を設定すると、プレビュー領域８３上で、その縮小率でプレビュー画像９１を縮小して表示する。また、拡大縮小処理部７７は、原稿画像（メモリ６４内の原稿画像）をその縮小率で縮小したときに、この縮小された原稿画像を記録するのに好適な記録用紙の定型サイズを求めて設定する。この好適な記録用紙の定型サイズは、縮小された原稿画像のサイズと同一か一回り大きな定型サイズである。
【００８６】
このような縮小率の設定、及びプレビュー領域８３上でのプレビュー画像９１の縮小表示は、一定周期Δτで繰返される。このため、ピンチインの操作が継続されている間、縮小率が減少して行き、プレビュー領域８３のプレビュー画像９１が徐々に縮小され、縮小された原稿画像を記録するのに好適な記録用紙の定型サイズが更新されて行く。
【００８７】
また、拡大縮小処理部７７は、ピンチインの操作の継続中、各指示点Ｐ１、Ｐ２の離間距離の変化に応じて縮小率を設定する度に、この縮小率で縮小された原稿画像のサイズが記録用紙の定型サイズに一致するか否かを判定している。そして、拡大縮小処理部７７は、その縮小率で拡大された原稿画像のサイズが記録用紙の定型サイズに一致しないと判定したならば、引き続いて各指示点Ｐ１、Ｐ２の離間距離の変化に応じた縮小率の設定を継続する。
【００８８】
また、拡大縮小処理部７７は、その縮小率で縮小された原稿画像のサイズが記録用紙の定型サイズに一致すると判定すると、ピンチインの操作が継続されていても、この縮小率を変更せずに維持し、この記録用紙の定型サイズを維持する。例えば、ピンチインの操作の継続により縮小率が８６％に減少し、この縮小率８６％で縮小された原稿画像のサイズが一回り小さな記録用紙の定型サイズＡ４に一致する場合は、ピンチインの操作が継続されて、縮小率の減少が指示されていても、縮小率８６％を変更せずに維持し、定型サイズＡ４を設定し続ける。
【００８９】
このとき、拡大縮小処理部７７は、図７（ａ）に示すようにプレビュー領域８３上で、原稿画像のサイズよりも小さな記録用紙の定型サイズに対応する指標枠９４を表示し、図７（ｂ）に示すようにプレビュー画像９１を指標枠９４に合わせて縮小表示する。
【００９０】
更に、拡大縮小処理部７７は、その縮小率の維持の開始時点からの経過時間を計時し、タッチパネル７２による各指示点Ｐ１、Ｐ２の検出が継続されている間に、その経過時間が一定時間に達すると、その維持している縮小率を破棄して、各指示点Ｐ１、Ｐ２の離間距離の変化に応じた縮小率の設定を再開する。そして、縮小率が減少して、その縮小率で縮小された原稿画像のサイズがより小さな記録用紙の定型サイズに一致すると、この縮小率を変更せずに維持して、この記録用紙の定型サイズを設定し、以降同様の処理を繰返し、タッチパネル７２による各指示点Ｐ１、Ｐ２の検出が停止したときの縮小率及び記録用紙の定型サイズを決定する。
【００９１】
尚、経過時間を計時する代わりに、その維持している縮小率とタッチパネル７２により継続して検出されている各指示点Ｐ１、Ｐ２の離間距離の変化に応じた縮小率との差もしくは比率を求めて、この差もしくは比率が一定範囲を超えると、その維持している縮小率を破棄して、各指示点Ｐ１、Ｐ２の離間距離の変化に応じた縮小率の設定を再開してもよい。
【００９２】
このように各指９２、９３による各指示点Ｐ１、Ｐ２が接近する方向に移動し続けているときには、各指示点Ｐ１、Ｐ２の離間距離の変化に応じて縮小率が設定され、縮小された原稿画像のサイズと同一か又は一回り大きな記録用紙の定型サイズが設定され、またその縮小率で縮小された原稿画像のサイズが記録用紙の定型サイズに一致すると、この縮小率が維持されて、この記録用紙の定型サイズが設定され、引き続いてタッチパネル７２による各指示点Ｐ１、Ｐ２の検出が継続されている間に、一定時間が経過すると、その維持されている縮小率が破棄されて、各指示点Ｐ１、Ｐ２の離間距離の変化に応じた縮小率の設定が再開される。また、タッチパネル７２による各指示点Ｐ１、Ｐ２の検出が停止したときの縮小率及び記録用紙の定型サイズが最終的に設定される。
【００９３】
このため、原稿画像の任意の縮小率を設定することができるだけではなく、原稿画像を記録用紙の定型サイズに正確に縮小するための縮小率を容易に設定することができる。
【００９４】
この後、タスクトリガー領域８５の記録開始を指示するボタンが操作されると、これに応答してプレビュー画像処理部７６は、拡大縮小処理部７７で最終的に設定された縮小率と記録用紙の定型サイズ、及びカラー変換処理部７８や回転処理部７９で設定された他の画像処理の内容を入出力部７５を通じて画像処理部６３等に出力する。画像処理部６３は、メモリ６４内の画像データに対して、拡大縮小処理部７７で設定された縮小率の縮小処理を施し、カラー変換処理部７８及び回転処理部７９で設定された他の画像処理の内容を実施し、これにより得られた画像データをプリンタエンジン６２に出力する。プリンタエンジン６２は、画像データによって示される原稿画像を定型サイズの記録用紙に記録する。
【００９５】
尚、ピンチアウトもしくはピンチインの操作を繰返すことにより、プレビュー画像９１並びに原稿画像をより拡大縮小したり、あるいは拡大及び縮小を選択的に繰返すことも可能である。この場合は、前回のピンチアウト又はピンチインの操作が終了したときの原稿画像の拡大縮小率を、今回の操作により継続して増減して行く。
【００９６】
次に、ピンチアウトやピンチインの操作により原稿画像を定型サイズに拡大又は縮小するに際し、原稿画像のサイズの縦横比率と、拡大又は縮小された原稿画像が記録される記録用紙の定型サイズの縦横比率が一致しないときの拡大率又は縮小率の設定方法を説明する。
【００９７】
例えば、原稿画像のサイズがＡ３であって、原稿画像のサイズよりも一回り小さな記録用紙の定型サイズがＡ５であったり、あるいは原稿画像のサイズがＡ５であって、原稿画像のサイズよりも一回り大きな記録用紙の定型サイズがＡ３であったりする場合は、原稿画像のサイズの縦横比率と記録用紙の定型サイズの縦横比率が同一であり、原稿画像を縦横方向に同一の拡大縮小率で拡大又は縮小すれば、拡大又は縮小された原稿画像が縦横方向のいずれについても記録用紙に調度収まる。
【００９８】
ところが、原稿画像のサイズがＡ４であって、原稿画像のサイズよりも一回り小さな記録用紙の定型サイズがＢ５であったり、あるいは原稿画像のサイズがＢ５であって、原稿画像のサイズよりも一回り大きな記録用紙の定型サイズがＡ４であったりする場合は、原稿画像のサイズの縦横比率と記録用紙の定型サイズの縦横比率とが異なり、原稿画像を縦横方向共に同一の拡大縮小率で拡大又は縮小しても、拡大又は縮小された原稿画像が記録用紙に調度収まることはない。
【００９９】
そこで、例えば原稿画像のサイズの縦幅に対する記録用紙の定型サイズの縦幅の縦比率、及び原稿画像のサイズの横幅に対する記録用紙の定型サイズの横幅の横比率のうちの小さい方の比率を拡大率又は縮小率として設定し、原稿画像の拡大処理又は縮小処理を行う。
【０１００】
この場合、図８（ａ）に示すように原稿画像９５が拡大又は縮小されて一回り大きな又は小さなサイズの記録用紙９６に記録されると、記録用紙９６の左右両側にそれぞれの余白領域９６ａが生じたり、あるいは図８（ｂ）に示すように記録用紙９６の上下両側にそれぞれの余白領域９６ｂが生じたりするが、拡大又は縮小された原稿画像９５が記録用紙９６からはみ出ることはない。
【０１０１】
具体的には、拡大縮小処理部７７は、各指示点Ｐ１、Ｐ２の離間距離の変化に応じて変倍率を設定する度に、この変倍率で変倍された原稿画像のサイズの縦幅又は横幅が記録用紙の定型サイズの縦幅又は横幅に一致するか否かを判定する。このとき、縦比率と横比率が同一であれば、変倍された原稿画像のサイズの縦幅及び横幅と記録用紙の定型サイズの縦幅及び横幅が同時に一致し、また縦比率と横比率が異なれば、各縦幅が一致するタイミングと、各横幅が一致するタイミングがずれる。そこで、拡大縮小処理部７７は、各縦幅と各横幅が別々のタイミングで一致したときに、縦比率と横比率が異なると判定して、それぞれのタイミングで設定された各変倍率（縦比率及び横比率）のうちの小さい方を選択して維持し、その定型サイズを設定して維持する。
【０１０２】
また、拡大縮小処理部７７は、プレビュー領域８３上で、その維持した記録用紙の定型サイズに対応する指標枠を表示し、プレビュー画像を指標枠に合わせて拡大又は縮小表示する。このとき、指標枠の左右両側又は上下両側にそれぞれの余白領域を表示して、各余白領域が生じる旨をユーザに知らせる。
【０１０３】
あるいは、原稿画像のサイズの縦幅に対する記録用紙の定型サイズの縦幅の縦比率、及び原稿画像のサイズの横幅に対する記録用紙の定型サイズの横幅の横比率のうちの大きい方の比率を拡大率又は縮小率として設定し、原稿画像の拡大処理又は縮小処理を行ってもよい。
【０１０４】
この場合、図９（ａ）に示すように原稿画像９５が拡大又は縮小されて一回り大きな又は小さなサイズの記録用紙９６に記録されると、拡大又は縮小された原稿画像９５が記録用紙９６の左右両側からはみ出したり、図９（ｂ）に示すように拡大又は縮小された原稿画像９５が記録用紙９６の上下両側からはみ出したりするが、記録用紙９６の余白領域を抑えることができる。
【０１０５】
具体的には、拡大縮小処理部７７は、各指示点Ｐ１、Ｐ２の離間距離の変化に応じて変倍率を設定する度に、この変倍率で変倍された原稿画像のサイズの縦幅又は横幅が記録用紙の定型サイズの縦幅又は横幅に一致するか否かを判定し、各縦幅と各横幅が別々のタイミングで一致したときに、縦比率と横比率が異なると判定して、それぞれのタイミングで設定された各変倍率（縦比率及び横比率）のうちの大きい方を選択して維持し、その定型サイズを設定して維持する。
【０１０６】
また、拡大縮小処理部７７は、プレビュー領域８３上で、その維持した記録用紙の定型サイズに対応する指標枠を表示し、プレビュー画像を指標枠に合わせて拡大又は縮小表示する。このとき、原稿画像の左右両側又は上下両側を指標枠からはみ出させて、原稿画像の左右両側又は上下両側が記録されない旨をユーザに知らせる。
【０１０７】
このように原稿画像のサイズの縦横比率と記録用紙の定型サイズの縦横比率とが異なっていても、原稿画像を一回り大きな又は小さな記録用紙の定型サイズに拡大又は縮小するための拡大率又は縮小率を求めて設定し、拡大又は縮小された原稿画像が記録される記録用紙の定型サイズを設定することができる。
【０１０８】
尚、ユーザの操作により図８（ａ）、（ｂ）に示すような拡大縮小率と図９（ａ）、（ｂ）に示すような拡大縮小率のいずれかを選択できるのが望ましい。
【０１０９】
次に、ピンチアウト及びピンチインの操作により縦方向又は横方向のみの拡大縮小が指示されたときの拡大縮小手順を説明する。
【０１１０】
先に述べたように拡大縮小処理部７７は、上記式（１）に基づき各指示点Ｐ１、Ｐ２の移動方向を求め、この移動方向が斜め方向であると判定したならば、原稿画像を縦横方向に拡大又は縮小している。
【０１１１】
また、図１０（ａ）に示すようにプレビュー領域８３における各指示点Ｐ１、Ｐ２の移動方向が縦方向であるとすると、拡大縮小処理部７７は、上記式（１）に基づき各指示点Ｐ１、Ｐ２の移動方向の角度θを求めて、各指示点Ｐ１、Ｐ２の移動方向が縦方向であると判定し（７０°＜θ≦９０°）、原稿画像の拡大又は縮小を縦方向に行うことを決定する。そして、拡大縮小処理部７７は、各指示点Ｐ１、Ｐ２の離間距離の変化を求め、各指示点Ｐ１、Ｐ２が相互に離反しているか接近しているかを判定し、この判定結果に応じて拡大又は縮小のいずれを行うかを決定する。
【０１１２】
そして、拡大縮小処理部７７は、各指示点Ｐ１、Ｐ２の離間距離の変化に応じて縦方向の拡大率又は縮小率を求めて設定し、プレビュー領域８３上で、その求めた拡大率又は縮小率でプレビュー画像９１を縦方向のみに拡大又は縮小して表示する。例えば、１回目（初回）に検出された各指示点Ｐ１、Ｐ２の離間距離と今回検出された各指示点Ｐ１、Ｐ２の離間距離との差分や比に応じた拡大率又は縮小率を求めて設定する。
【０１１３】
また、拡大縮小処理部７７は、その求めた拡大率又は縮小率で原稿画像を縦方向に拡大又は縮小したときに、この縦方向に拡大又は縮小された原稿画像を記録するのに好適な記録用紙の定型サイズを設定する。この記録用紙の定型サイズは、縦方向のみに拡大又は縮小された原稿画像を記録し得る最小の定型サイズである。
【０１１４】
このような縦方向の拡大率又は縮小率の設定、及びプレビュー領域８３上でのプレビュー画像９１の縦方向の拡大表示又は縮小表示は、一定周期Δτで繰返される。このため、ピンチアウトの操作が継続されている間、縦方向の拡大率又は縮小率が変化し、プレビュー領域８３のプレビュー画像９１が徐々に縦方向に拡大又は縮小され、縦方向に拡大又は縮小された原稿画像を記録するのに好適な記録用紙の定型サイズが更新されて行く。
【０１１５】
また、拡大縮小処理部７７は、ピンチアウト又はピンチインの操作の継続中、各指示点Ｐ１、Ｐ２の離間距離の変化に応じて縦方向の拡大率又は縮小率を設定する度に、この拡大率又は縮小率で縦方向に拡大又は縮小された原稿画像のサイズの縦幅が記録用紙の定型サイズの縦幅に一致するか否かを判定している。そして、拡大縮小処理部７７は、その拡大率又は縮小率で縦方向に拡大又は縮小された原稿画像のサイズの縦幅が記録用紙の定型サイズの縦幅に一致しないと判定したならば、引き続いて各指示点Ｐ１、Ｐ２の離間距離の変化に応じた縦方向の拡大率又は縮小率の設定を継続する。
【０１１６】
また、拡大縮小処理部７７は、その拡大率又は縮小率で縦方向に拡大又は縮小された原稿画像のサイズの縦幅が記録用紙の定型サイズの縦幅に一致すると判定すると、ピンチアウトの操作が継続されていても、この縦方向の拡大率又は縮小率を変更せずに維持し、この記録用紙の定型サイズを維持する。
【０１１７】
このとき、拡大縮小処理部７７は、図１０（ａ）、（ｂ）に示すようにプレビュー領域８３上で、原稿画像の元のサイズよりも一回り大きな又は小さな記録用紙の定型サイズに対応する指標枠９４を表示し、プレビュー画像９１を指標枠９４に合わせて縦方向のみに拡大表示又は縮小表示する。
【０１１８】
更に、拡大縮小処理部７７は、その拡大率又は縮小率の維持の開始時点からの経過時間を計時し、タッチパネル７２による各指示点Ｐ１、Ｐ２の検出が継続されている間に、その経過時間が一定時間に達すると、その維持している拡大率又は縮小率を破棄して、各指示点Ｐ１、Ｐ２の離間距離の変化に応じた縦方向の拡大率又は縮小率の設定を再開する。そして、拡大率又は縮小率が変更され、その拡大率又は縮小率で縦方向に拡大又は縮小された原稿画像のサイズがより大きな又は小さな記録用紙の定型サイズに一致すると、この拡大率又は縮小率を変更せずに維持して、この記録用紙の定型サイズを維持し、以降同様の処理を繰返し、タッチパネル７２による各指示点Ｐ１、Ｐ２の検出が停止したときの拡大率又は縮小率及び記録用紙の定型サイズを決定する。
【０１１９】
このように各指９２、９３による各指示点Ｐ１、Ｐ２が縦方向に移動しているときには、各指示点Ｐ１、Ｐ２の離間距離の変化に応じて縦方向のみの拡大率又は縮小率が設定されて、縦方向のみに拡大又は縮小された原稿画像を記録し得る記録用紙の最小の定型サイズが設定される。また、その拡大率又は縮小率で縦方向のみに拡大又は縮小された原稿画像のサイズの縦幅サイズが記録用紙の定型サイズの縦幅に一致すると、この縦方向の拡大率又は縮小率が維持され、この記録用紙の定型サイズが維持される。更に、タッチパネル７２による各指示点Ｐ１、Ｐ２の検出が継続されている間に一定時間が経過すると、その維持されている拡大率又は縮小率が破棄されて、各指示点Ｐ１、Ｐ２の離間距離の変化に応じた拡大率又は縮小率の設定が再開される。また、タッチパネル７２による各指示点Ｐ１、Ｐ２の検出が停止したときの拡大率又は縮小率及び記録用紙の定型サイズが最終的に設定される。
【０１２０】
この後、タスクトリガー領域８５の記録開始を指示するボタンが操作されると、これに応答してプレビュー画像処理部７６は、拡大縮小処理部７７で最終的に設定された縦方向の拡大率又は縮小率と記録用紙の定型サイズ、及びカラー変換処理部７８や回転処理部７９で設定された他の画像処理の内容を入出力部７５を通じて画像処理部６３等へと出力する。画像処理部６３は、メモリ６４内の画像データに対して、縦方向の拡大率又は縮小率で縦方向のみの拡大処理又は縮小処理を施し、他の画像処理の内容を実施し、これにより得られた画像データをプリンタエンジン６２に出力する。プリンタエンジン６２は、画像データによって示される原稿画像、つまり縦方向のみに拡大又は縮小されたり、色変換されたり、回転された原稿画像を定型サイズの記録用紙に記録する。
【０１２１】
また、図１１（ａ）に示すようにプレビュー領域８３に対する各指示点Ｐ１、Ｐ２の移動方向が横方向である場合、拡大縮小処理部７７は、上記式（１）に基づきプレビュー領域８３に対する各指示点Ｐ１、Ｐ２の移動方向の角度θを求めて、各指示点Ｐ１、Ｐ２の移動方向が横方向であると判定し（２０°≦θ≦７０°）、原稿画像の拡大又は縮小を横方向に行うことを決定する。そして、拡大縮小処理部７７は、各指示点Ｐ１、Ｐ２の離間距離の変化を求め、各指示点Ｐ１、Ｐ２が相互に離反しているか接近しているかを判定し、この判定結果に応じて拡大又は縮小のいずれを行うかを決定する。
【０１２２】
そして、拡大縮小処理部７７は、各指示点Ｐ１、Ｐ２の離間距離の変化に応じて横方向の拡大率又は縮小率を求めて設定し、プレビュー領域８３上で、その求めた拡大率又は縮小率でプレビュー画像９１を横方向のみに拡大又は縮小して表示する。
【０１２３】
また、拡大縮小処理部７７は、その求めた拡大率又は縮小率で横方向に拡大又は縮小された原稿画像を記録するのに好適な記録用紙の定型サイズを設定する。この記録用紙の定型サイズは、横方向のみに拡大又は縮小された原稿画像を記録し得る最小の定型サイズである。
【０１２４】
このような横方向の拡大率又は縮小率の設定、及びプレビュー領域８３上でのプレビュー画像９１の横方向の拡大表示又は縮小表示は、一定周期Δτで繰返される。このため、ピンチアウトの操作が継続されている間、横方向の拡大率又は縮小率が変化し、プレビュー領域８３のプレビュー画像９１が徐々に横方向に拡大又は縮小され、横方向に拡大又は縮小された原稿画像を記録するのに好適な記録用紙の定型サイズが更新されて行く。
【０１２５】
また、拡大縮小処理部７７は、ピンチアウト又はピンチインの操作の継続中、各指示点Ｐ１、Ｐ２の離間距離の変化に応じて拡大率又は縮小率を設定する度に、この拡大率又は縮小率で横方向に拡大又は縮小された原稿画像のサイズの横幅が記録用紙の定型サイズの横幅に一致するか否かを判定している。そして、拡大縮小処理部７７は、その拡大率又は縮小率で横方向に拡大又は縮小された原稿画像のサイズの横幅が記録用紙の定型サイズの横幅に一致しないと判定したならば、引き続いて各指示点Ｐ１、Ｐ２の離間距離の変化に応じた横方向の拡大率又は縮小率の設定を継続する。
【０１２６】
また、拡大縮小処理部７７は、その拡大率又は縮小率で横方向に拡大又は縮小された原稿画像のサイズの横幅が記録用紙の定型サイズの横幅に一致すると判定すると、ピンチアウトの操作が継続されていても、この横方向の拡大率又は縮小率を変更せずに維持し、この記録用紙の定型サイズを維持する。
【０１２７】
このとき、拡大縮小処理部７７は、図１１（ａ）、（ｂ）に示すようにプレビュー領域８３上で、原稿画像の元のサイズよりも一回り大きな又は小さな記録用紙の定型サイズに対応する指標枠９４を表示し、プレビュー画像９１を指標枠９４に合わせて横方向のみに拡大表示又は縮小表示する。
【０１２８】
更に、拡大縮小処理部７７は、その拡大率又は縮小率の維持の開始時点からの経過時間を計時し、タッチパネル７２による各指示点Ｐ１、Ｐ２の検出が継続されている間に、その経過時間が一定時間に達すると、その維持している拡大率又は縮小率を破棄して、各指示点Ｐ１、Ｐ２の離間距離の変化に応じた横方向の拡大率又は縮小率の設定を再開する。そして、拡大率又は縮小率が変更され、その拡大率又は縮小率で横方向に拡大又は縮小された原稿画像のサイズがより大きな又は小さな記録用紙の定型サイズに一致すると、この拡大率又は縮小率を変更せずに維持して、この記録用紙の定型サイズを維持し、以降同様の処理を繰返し、タッチパネル７２による各指示点Ｐ１、Ｐ２の検出が停止したときの拡大率又は縮小率及び記録用紙の定型サイズを決定する。
【０１２９】
このように各指９２、９３による各指示点Ｐ１、Ｐ２が横方向に移動しているときには、各指示点Ｐ１、Ｐ２の離間距離の変化に応じて横方向のみの拡大率又は縮小率が設定されて、横方向のみに拡大又は縮小された原稿画像を記録し得る記録用紙の最小の定型サイズが設定される。また、その拡大率又は縮小率で横方向のみに拡大又は縮小された原稿画像のサイズの横幅が記録用紙の定型サイズの横幅に一致すると、この横方向の拡大率又は縮小率が維持され、この記録用紙の定型サイズが維持される。更に、タッチパネル７２による各指示点Ｐ１、Ｐ２の検出が継続されている間に一定時間が経過すると、その維持されている拡大率又は縮小率が破棄されて、各指示点Ｐ１、Ｐ２の離間距離の変化に応じた拡大率又は縮小率の設定が再開される。また、タッチパネル７２による各指示点Ｐ１、Ｐ２の検出が停止したときの拡大率又は縮小率及び記録用紙の定型サイズが最終的に設定される。
【０１３０】
この後、タスクトリガー領域８５の記録開始を指示するボタンが操作されると、これに応答してプレビュー画像処理部７６は、拡大縮小処理部７７で最終的に設定された横方向の拡大率又は縮小率と記録用紙の定型サイズ、及びカラー変換処理部７８や回転処理部７９で設定された他の画像処理の内容を入出力部７５を通じて画像処理部６３等へと出力する。画像処理部６３は、メモリ６４内の画像データに対して、横方向の拡大率又は縮小率で横方向のみの拡大処理又は縮小処理を施し、他の画像処理の内容を実施し、これにより得られた画像データをプリンタエンジン６２に出力する。プリンタエンジン６２は、画像データによって示される原稿画像、つまり横方向のみに拡大又は縮小されたり、色変換されたり、回転された原稿画像を定型サイズの記録用紙に記録する。
【０１３１】
尚、縦方向及び横方向のピンチアウトもしくはピンチインの操作を選択的に繰返すことにより、縦方向及び横方向別に、プレビュー画像９１並びに原稿画像をより拡大縮小したり、あるいは拡大及び縮小を選択的に繰返すことも可能である。この場合は、縦方向及び横方向別に、前回のピンチアウト又はピンチインの操作が終了したときの原稿画像の拡大縮小率を、今回の操作により継続して増減して行く。
【０１３２】
次に、表示制御部６５による処理の概略を、図１２のフローチャートを参照しつつ整理して説明する。
【０１３３】
まず、表示制御部６５の操作判定部７３は、タッチパネル７２の検出信号を監視しており（ステップＳ１０１）、タッチパネル７２の検出信号に基づき液晶表示装置７１の画面７１ａのプレビュー領域８３で指先等による指示点が検出されたか否かを判定し（ステップＳ１０２）、プレビュー領域８３で指示点が検出されなかったと判定すると（ステップＳ１０２で「Ｎｏ」）、ステップＳ１０１、Ｓ１０２を繰返す。
【０１３４】
また、操作判定部７３は、プレビュー領域８３で指示点が検出されたと判定すると（ステップＳ１０２で「Ｙｅｓ」）、タッチパネル７２の検出信号に基づき指示点を取得し（ステップＳ１０３）、指示点の数を判定する（ステップＳ１０４）。
【０１３５】
例えば、操作判定部７３は、指示点の数が「０」であると判定すると（ステップＳ１０４で「０」）、ステップＳ１０１に戻る。また、操作判定部７３は、指示点の数が「１」であると判定すると（ステップＳ１０４で「１」）、プレビュー領域８３でその指示点の位置に表示されているアイコンやボタンを識別し、このアイコンやボタンを機能設定部７４に通知する（ステップＳ１０５）。機能設定部７４のプレビュー画像処理部７６は、通知されたアイコンやボタンに基づき指示もしくは操作の内容を判定し、この判定結果を液晶表示装置７１の画面上の各機能設定領域に反映させたり、この判定結果の制御データを入出力部７５を通じて制御部６１等に出力する。
【０１３６】
また、操作判定部７３は、指示点の数が「２」であると判定すると（ステップＳ１０４で「２」）、この２つの指示点を機能設定部７４に通知する（ステップＳ１０６）。プレビュー画像処理部７６の拡大縮小処理部７７は、通知された２つの指示点に基づき、ピンチアウトやピンチインの操作により画像の拡大縮小が指示されるものとみなして、ピンチアウトやピンチインの操作に応じた画像の拡大縮小処理を開始する。
【０１３７】
尚、他のシステム領域８１、機能選択領域８２、アクションパネル領域８４、及びタスクトリガー領域８５については、ステップＳ１０４、Ｓ１０６が省略され、機能設定部７４によりステップＳ１０１、Ｓ１０２、Ｓ１０３、Ｓ１０５の処理だけが行われる。
【０１３８】
次に、図１２のステップＳ１０６の処理、つまりピンチアウトやピンチインの操作に応じた画像の拡大縮小処理を、図１３Ａ、図１３Ｂのフローチャートを参照しつつ説明する。
【０１３９】
まず、拡大縮小処理部７７は、タッチスクリーン３のタッチパネル７２により検出されて、操作判定部７３により判定された各指示点の数が「２」であることを確認すると（ステップＳ２０１で「Ｙｅｓ」）、表示制御部６５に内蔵の周期タイマ（図示せず）を起動して、周期タイマによる一定周期Δτの計時を開始する（ステップＳ２０２）。この一定周期Δτは、各指示点の位置をサンプリングして表示制御部６５に内蔵のメモリ（図示せず）に記憶する周期である。そして、拡大縮小処理部７７は、ｎを１に初期設定して、１回目（ｎ回目）に検出された２つの指示点の位置をサンプリングしてメモリに記憶する（ステップＳ２０３）。
【０１４０】
引き続いて、拡大縮小処理部７７は、一定周期Δτ後に、ｎを歩進し（ｎ←ｎ＋１）、２回目（ｎ回目）に検出された２つの指示点の位置を再びサンプリングしてメモリに記憶する（ステップＳ２０４）。更に、拡大縮小処理部７７は、１回目に検出されて記憶された２つの指示点の位置及び２回目に検出されて記憶された２つの指示点の位置から上記式（１）におけるΔｘ１、Δｘ２、Δｙ１、Δｙ２を求めて、上記式（１）に基づきプレビュー領域８３に対する各指示点Ｐ１、Ｐ２の移動方向の角度θを求め（ステップＳ２０５）、この移動方向が斜め方向、縦方向、及び横方向のいずれであるかを判定する（ステップＳ２０６）。
【０１４１】
例えば、拡大縮小処理部７７は、２つの指示点が斜め方向に移動したと判定すると（ステップＳ２０６で「２０°≦θ≦７０°」）、プレビュー画像及び原稿画像の拡大縮小方向を示す変倍方向フラッグを縦横方向に対応する「１，１」に設定する（ステップＳ２０７）。そして、拡大縮小処理部７７は、変倍方向フラッグが縦横方向に対応する「１，１」に設定されていることから、各指示点Ｐ１、Ｐ２の離間距離の変化に応じて縦横方向の拡大率又は縮小率（変倍率）を求め、プレビュー領域８３のプレビュー画像９１をその変倍率で縦横方向に変倍表示する（ステップＳ２０８）。また、拡大縮小処理部７７は、原稿画像（メモリ６４内の原稿画像）をその変倍率で縦横方向に変倍したときに、この変倍された原稿画像を記録するのに好適な記録用紙の定型サイズを求めて設定する。
【０１４２】
この後、拡大縮小処理部７７は、各指示点Ｐ１、Ｐ２の離間距離の変化に応じた変倍率で変倍された原稿画像のサイズが記録用紙の定型サイズに一致するか否かを判定する（ステップＳ２０９）。そして、拡大縮小処理部７７は、その変倍率で変倍された原稿画像のサイズが記録用紙の定型サイズに一致しないと判定すると（ステップＳ２０９で「Ｎｏ」）、タッチパネル７２による各指示点Ｐ１、Ｐ２の検出が継続されていることを確認してから（ステップＳ２１０で「Ｎｏ」）、メモリに記憶されているｎ回目に検出された２つの指示点の位置を前回サンプリングされたものとして更新し（ステップＳ２１１）、この後にステップＳ２０４に戻って、ｎを歩進し（ｎ←ｎ＋１）、ｎ回目の２つの指示点の位置をサンプリングしてメモリに記憶する（ステップＳ２０４）。
【０１４３】
以降、同様のピンチアウト又はピンチインの操作が継続されている限り、ステップＳ２０４〜Ｓ２１１が繰返されて、変倍率が更新され、プレビュー領域８３のプレビュー画像９１が縦横方向に変倍され、縦横方向に変倍された原稿画像を記録するのに好適な記録用紙の定型サイズが更新されて行く。
【０１４４】
そして、拡大縮小処理部７７は、タッチパネル７２による２つの指示点の検出が中断すると、ピンチアウト又はピンチインの操作が終了したとみなして（ステップＳ２１０で「Ｙｅｓ」）、このときの縦横方向の変倍率と記録用紙の定型サイズを最終的に設定する。この後、タスクトリガー領域８５の記録開始を指示するボタンが操作されると、最終的に設定された縦横方向の変倍率と記録用紙の定型サイズ、及び他の画像処理の内容が入出力部７５を通じて画像処理部６３等に出力される。
【０１４５】
また、拡大縮小処理部７７は、各指示点Ｐ１、Ｐ２の離間距離の変化に応じた変倍率で変倍された原稿画像のサイズが記録用紙の定型サイズに一致すると判定すると（ステップＳ２０９で「Ｙｅｓ」）、この変倍率を変更せずに維持し、この記録用紙の定型サイズを維持する（ステップＳ２１２）。そして、拡大縮小処理部７７は、表示制御部６５に内蔵の待機タイマ（図示せず）を起動して、待機タイマによる一定の待機時間の計時を開始し、一定の待機時間が経過せず（ステップＳ２１３で「Ｎｏ」）、タッチパネル７２による各指示点Ｐ１、Ｐ２の検出が継続されているならば（ステップＳ２１４で「Ｎｏ」）、変倍率と記録用紙の定型サイズを維持し続ける（ステップＳ２１２）。
【０１４６】
ここで、一定の待機時間が経過しないまま（ステップＳ２１３で「Ｎｏ」）、タッチパネル７２による各指示点Ｐ１、Ｐ２の検出が中断したならば（ステップＳ２１４で「Ｙｅｓ」）、ステップＳ２１２で維持している変倍率と記録用紙の定型サイズが最終的に設定される。この後、タスクトリガー領域８５の記録開始を指示するボタンが操作されると、最終的に設定された縦横方向の変倍率と記録用紙の定型サイズ、及び他の画像処理の内容が入出力部７５を通じて画像処理部６３等に出力される。
【０１４７】
また、タッチパネル７２による各指示点Ｐ１、Ｐ２の検出が継続している間に（ステップＳ２１４で「Ｎｏ」）、一定の待機時間が経過すると（ステップＳ２１３で「Ｙｅｓ」）、メモリに記憶されているｎ回目に検出された２つの指示点の位置を前回サンプリングされたものとして更新し（ステップＳ２１５）、この後にステップＳ２０４に戻って、変倍率の更新、プレビュー領域８３のプレビュー画像９１の変倍、記録用紙の定型サイズの更新が再開される。
【０１４８】
尚、原稿画像のサイズの縦横比率と記録用紙の定型サイズの縦横比率とが異なる場合は、ステップＳ２０４〜Ｓ２１１が繰返され、各縦幅と各横幅が別々のタイミングで一致することが確認されて、縦比率と横比率が異なると判定され、それぞれのタイミングで設定された各変倍率（縦比率及び横比率）のうちの大きい方又は小さい方の比率が縦横方向の変倍率として設定されて、図８（ａ）、（ｂ）又は図９（ａ）、（ｂ）に示すようなプレビュー画像及び原稿画像の変倍処理が行われる。この場合、ユーザの操作により図８（ａ）、（ｂ）に示すような変倍率と図９（ａ）、（ｂ）に示すような変倍率のいずれかを選択できるのが望ましい。
【０１４９】
次に、２つの指示点が縦方向に移動したと判定すると（ステップＳ２０６で「７０°＜θ≦９０°」）、プレビュー画像及び原稿画像の拡大縮小方向を示す変倍方向フラッグを縦方向に対応する「０，１」に設定する（ステップＳ２１６）。そして、拡大縮小処理部７７は、変倍方向フラッグが縦方向に対応する「０，１」に設定されていることから、各指示点Ｐ１、Ｐ２の離間距離の変化に応じて縦方向の変倍率を求め、プレビュー領域８３のプレビュー画像９１をその変倍率で縦方向に変倍表示する（ステップＳ２０８）。また、拡大縮小処理部７７は、原稿画像（メモリ６４内の原稿画像）をその変倍率で縦方向に変倍したときに、この変倍された原稿画像を記録するのに好適な記録用紙の定型サイズを求めて設定する。
【０１５０】
この後、拡大縮小処理部７７は、各指示点Ｐ１、Ｐ２の離間距離の変化に応じた縦方向の変倍率で変倍された原稿画像のサイズの縦幅が記録用紙の定型サイズの縦幅に一致するか否かを判定する（ステップＳ２０９）。そして、拡大縮小処理部７７は、その変倍率で変倍された原稿画像のサイズの縦幅が記録用紙の定型サイズの縦幅に一致しないと判定すると（ステップＳ２０９で「Ｎｏ」）、タッチパネル７２による各指示点Ｐ１、Ｐ２の検出が継続されていることを確認してから（ステップＳ２１０で「Ｎｏ」）、メモリに記憶されているｎ回目に検出された２つの指示点の位置を前回サンプリングされたものとして更新し（ステップＳ２１１）、この後にステップＳ２０４に戻って、ｎを歩進し（ｎ←ｎ＋１）、ｎ回目の２つの指示点の位置をサンプリングしてメモリに記憶する（ステップＳ２０４）。
【０１５１】
以降、同様のピンチアウト又はピンチインの操作が継続されている限り、ステップＳ２０４〜Ｓ２０６、Ｓ２１６、Ｓ２０８〜Ｓ２１１が繰返されて、縦方向の変倍率が更新され、プレビュー領域８３のプレビュー画像９１が縦方向に変倍され、縦方向に変倍された原稿画像を記録するのに好適な記録用紙の定型サイズが更新されて行く。
【０１５２】
そして、拡大縮小処理部７７は、タッチパネル７２による２つの指示点の検出が中断すると、ピンチアウト又はピンチインの操作が終了したとみなして（ステップＳ２１０で「Ｙｅｓ」）、このときの縦方向の変倍率と記録用紙の定型サイズを最終的に設定する。この後、タスクトリガー領域８５の記録開始を指示するボタンが操作されると、最終的に設定された縦方向の変倍率と記録用紙の定型サイズ、及び他の画像処理の内容が入出力部７５を通じて画像処理部６３等に出力される。
【０１５３】
また、拡大縮小処理部７７は、各指示点Ｐ１、Ｐ２の離間距離の変化に応じた変倍率で変倍された原稿画像のサイズの縦幅が記録用紙の定型サイズの縦幅に一致すると判定すると（ステップＳ２０９で「Ｙｅｓ」）、この縦方向の変倍率を変更せずに維持し、この記録用紙の定型サイズを維持する（ステップＳ２１２）。そして、拡大縮小処理部７７は、待機タイマによる一定の待機時間の計時を開始し、一定の待機時間が経過せず（ステップＳ２１３で「Ｎｏ」）、タッチパネル７２による各指示点Ｐ１、Ｐ２の検出が継続されているならば（ステップＳ２１４で「Ｎｏ」）、縦方向の変倍率と記録用紙の定型サイズを維持し続ける（ステップＳ２１２）。
【０１５４】
例えば、一定の待機時間が経過しないまま（ステップＳ２１３で「Ｎｏ」）、タッチパネル７２による各指示点Ｐ１、Ｐ２の検出が中断したならば（ステップＳ２１４で「Ｙｅｓ」）、ステップＳ２１２で維持している縦方向の変倍率と記録用紙の定型サイズが最終的に設定される。この後、タスクトリガー領域８５の記録開始を指示するボタンが操作されると、最終的に設定された縦方向の変倍率と記録用紙の定型サイズ、及び他の画像処理の内容が入出力部７５を通じて画像処理部６３等に出力される。
【０１５５】
また、タッチパネル７２による各指示点Ｐ１、Ｐ２の検出が継続している間に（ステップＳ２１４で「Ｎｏ」）、一定の待機時間が経過すると（ステップＳ２１３で「Ｙｅｓ」）、メモリに記憶されているｎ回目に検出された２つの指示点の位置を前回サンプリングされたものとして更新し（ステップＳ２１５）、この後にステップＳ２０４に戻って、変倍率の更新、プレビュー領域８３のプレビュー画像９１の変倍、記録用紙の定型サイズの更新が再開される。
【０１５６】
次に、拡大縮小処理部７７は、２つの指示点が横方向に移動したと判定すると（ステップＳ２０６で「０°≦θ＜２０°」）、プレビュー画像及び原稿画像の拡大縮小方向を示す変倍方向フラッグを横方向に対応する「１，０」に設定する（ステップＳ２１７）。そして、拡大縮小処理部７７は、変倍方向フラッグが横方向に対応する「１，０」に設定されていることから、各指示点Ｐ１、Ｐ２の離間距離の変化に応じて横方向の変倍率を求め、プレビュー領域８３のプレビュー画像９１をその変倍率で横方向に変倍表示する（ステップＳ２０８）。また、原稿画像（メモリ６４内の原稿画像）をその変倍率で横方向に変倍したときに、この変倍された原稿画像を記録するのに好適な記録用紙の定型サイズが求められて設定される。
【０１５７】
この後、拡大縮小処理部７７は、各指示点Ｐ１、Ｐ２の離間距離の変化に応じた横方向の変倍率で変倍された原稿画像のサイズの横幅が記録用紙の定型サイズの横幅に一致するか否かを判定する（ステップＳ２０９）。そして、拡大縮小処理部７７は、その変倍率で変倍された原稿画像のサイズの横幅が記録用紙の定型サイズの横幅に一致しないと判定すると（ステップＳ２０９で「Ｎｏ」）、タッチパネル７２による各指示点Ｐ１、Ｐ２の検出が継続されていることを確認してから（ステップＳ２１０で「Ｎｏ」）、メモリに記憶されているｎ回目に検出された２つの指示点の位置を前回サンプリングされたものとして更新し（ステップＳ２１１）、この後にステップＳ２０４に戻って、ｎを歩進し（ｎ←ｎ＋１）、ｎ回目の２つの指示点の位置をサンプリングしてメモリに記憶する（ステップＳ２０４）。
【０１５８】
以降、同様のピンチアウト又はピンチインの操作が継続されている限り、ステップＳ２０４〜Ｓ２０６、Ｓ２１７、Ｓ２０８〜Ｓ２１１が繰返されて、横方向の変倍率が更新され、プレビュー領域８３のプレビュー画像９１が横方向に変倍され、横方向に変倍された原稿画像を記録するのに好適な記録用紙の定型サイズが更新されて行く。
【０１５９】
そして、拡大縮小処理部７７は、タッチパネル７２による２つの指示点の検出が中断すると、ピンチアウト又はピンチインの操作が終了したとみなして（ステップＳ２１０で「Ｙｅｓ」）、このときの横方向の変倍率と記録用紙の定型サイズを最終的に設定する。この後、タスクトリガー領域８５の記録開始を指示するボタンが操作されると、最終的に設定された横方向の変倍率と記録用紙の定型サイズ、及び他の画像処理の内容が入出力部７５を通じて画像処理部６３等に出力される。
【０１６０】
また、拡大縮小処理部７７は、各指示点Ｐ１、Ｐ２の離間距離の変化に応じた変倍率で変倍された原稿画像のサイズの横幅が記録用紙の定型サイズの横幅に一致すると判定すると（ステップＳ２０９で「Ｙｅｓ」）、この横方向の変倍率を変更せずに維持し、この記録用紙の定型サイズを維持する（ステップＳ２１２）。そして、拡大縮小処理部７７は、待機タイマによる一定の待機時間の計時を開始し、一定の待機時間が経過せず（ステップＳ２１３で「Ｎｏ」）、タッチパネル７２による各指示点Ｐ１、Ｐ２の検出が継続されているならば（ステップＳ２１４で「Ｎｏ」）、横方向の変倍率と記録用紙の定型サイズを維持し続ける（ステップＳ２１２）。
【０１６１】
例えば、一定の待機時間が経過しないまま（ステップＳ２１３で「Ｎｏ」）、タッチパネル７２による各指示点Ｐ１、Ｐ２の検出が中断したならば（ステップＳ２１４で「Ｙｅｓ」）、ステップＳ２１２で維持している横方向の変倍率と記録用紙の定型サイズが最終的に設定される。この後、タスクトリガー領域８５の記録開始を指示するボタンが操作されると、最終的に設定された横方向の変倍率と記録用紙の定型サイズ、及び他の画像処理の内容が入出力部７５を通じて画像処理部６３等に出力される。
【０１６２】
また、タッチパネル７２による各指示点Ｐ１、Ｐ２の検出が継続している間に（ステップＳ２１４で「Ｎｏ」）、一定の待機時間が経過すると（ステップＳ２１３で「Ｙｅｓ」）、メモリに記憶されているｎ回目に検出された２つの指示点の位置を前回サンプリングされたものとして更新し（ステップＳ２１５）、この後にステップＳ２０４に戻って、変倍率の更新、プレビュー領域８３のプレビュー画像９１の変倍、記録用紙の定型サイズの更新が再開される。
【０１６３】
尚、ピンチアウトもしくはピンチインの操作が繰返されると、ステップＳ２０１〜Ｓ２１７が繰返され、その度に、プレビュー領域８３のプレビュー画像９１がより拡大縮小されたり、あるいは拡大及び縮小が選択的に繰返される。この場合は、前回のピンチアウト又はピンチインの操作が終了したときの原稿画像の拡大縮小率を、今回の操作により継続して増減して行く。
【０１６４】
本発明は、その精神または主要な特徴から逸脱することなく、他のいろいろな形で実施することができる。そのため、上述の実施例はあらゆる点で単なる例示にすぎず、限定的に解釈してはならない。本発明の範囲は特許請求の範囲によって示すものであって、明細書本文には、なんら拘束されない。さらに、特許請求の範囲の均等範囲に属する変形や変更は、全て本発明の範囲内のものである。
【０１６５】
例えば、液晶表示装置の画面上で、プレビュー画像を記録用紙の定型サイズに対応する指標枠に合わせて変倍するだけではなく、プレビュー画像を予め設定された規定サイズに変倍しても構わない。例えば、ピンチアウトやピンチインの操作に際し、プレビュー画像を２倍、３倍、……、ｍ倍に拡大したり、プレビュー画像を１／２倍、１／３倍、……、１／ｍ倍に縮小する（ｍは整数である）。
【符号の説明】
【０１６６】
１  画像形成装置
２  操作パネル
３  タッチスクリーン
４  キーボード
１１  光走査装置
１２  現像装置
１３  感光体ドラム
１４  ドラムクリーニング装置
１５  帯電装置
１６  中間転写ベルト装置
１７  定着装置
１８  給紙トレイ
１９  用紙排出トレイ
４１  画像読取り装置
４２  原稿カバー
４４  原稿載置板
４５  第１走査ユニット
４６  第２走査ユニット
４８  ＣＣＤ
６１  制御部
６２  プリンタエンジン
６３  画像処理部
６４  メモリ
６５  表示制御部
６６  バス
７１  液晶表示装置
７２  タッチパネル
７３  操作判定部
７４  機能設定部
７５  入出力部
７６  プレビュー画像処理部
７７  拡大縮小処理部
７８  カラー変換処理部
７９  回転処理部
【図１】
0005630763.tif 000002
【図２】
0005630763.tif 000003
【図３】
0005630763.tif 000004
【図４】
0005630763.tif 000005
【図５】
0005630763.tif 000006
【図６】
0005630763.tif 000007
【図７】
0005630763.tif 000008
【図８】
0005630763.tif 000009
【図９】
0005630763.tif 000010
【図１０】
0005630763.tif 000011
【図１１】
0005630763.tif 000012
【図１２】
0005630763.tif 000013
【図１３Ａ】
0005630763.tif 000014
【図１３Ｂ】
0005630763.tif 000015